(57)【要約】【課題】Ｓ／Ｎ比の劣化を抑制しつつ、無線周波数信号のサンプリング周波数を低減する。【解決手段】ビットエラーレート測定部９にて受信信号のビットエラーレートを測定し、サンプリング周波数制御部１０は、受信信号のビットエラーレートの測定結果に基づいて周波数制御信号ＦＳ１を生成し、周波数シンセサイザ１１のサンプリング周波数を制御し、サンプルホールド回路４は、周波数シンセサイザ１１から送られたサンプリングクロックにてローノイズアンプ３から送られた受信信号をサンプリングし、受信信号のダウンコンバートを行う。【選択図】図１
2007124444.tif 000002
【特許請求の範囲】
【請求項１】
サンプリング周波数を変化させたサンプリングクロックを生成する周波数シンセサイザ
と、
前記サンプリングクロックにて無線周波数信号をサンプリングしながら周波数変換を行
うサンプルホールド回路と、
前記無線周波数信号に基づいて通信品質を測定する通信品質測定部と、
前記測定された通信品質に基づいて前記サンプリング周波数を制御するサンプリング周
波数制御部とを備えることを特徴とする無線通信装置。
【請求項２】
サンプリング周波数を変化させたサンプリングクロックを生成する周波数シンセサイザ
と、
前記サンプリングクロックにて無線周波数信号をサンプリングしながら周波数変換を行
うサンプルホールド回路と、
前記周波数変換されたベースバンド信号に基づいて受信信号のビットエラーレートを測
定するビットエラーレート測定部と、
前記測定されたビットエラーレートに基づいて前記サンプリング周波数を制御するサン
プリング周波数制御部とを備えることを特徴とする無線通信装置。
【請求項３】
送信側と受信側との位置関係を検出する位置関係検出手段をさらに備え、
前記サンプリング周波数制御部は、前記位置関係も考慮しながら前記サンプリング周波
数を制御することを特徴とする請求項１または２記載の無線通信装置。
【請求項４】
他の通信手段の利用状況を検出する利用状況検出手段をさらに備え、
前記サンプリング周波数制御部は、前記利用関係も考慮しながら前記サンプリング周波
数を制御することを特徴とする請求項１から３のいずれか１項記載の無線通信装置。
【請求項５】
第１筐体部と、
第２筐体部と、
前記第１筐体部と前記第２筐体部との間の位置関係を変えられるように前記第１筐体部
と前記第２筐体部とを連結する連結部と、
前記第１筐体部または前記第２筐体部に搭載され、外部無線通信を行う外部無線通信部
と、
前記第２筐体部に搭載された表示部と、
前記第１筐体部に搭載され、送信データを周波数変換しながら無線で送出する送信部と
、
前記第２筐体部に搭載され、前記送信部から送信された送信データをサンプリングクロ
ックにてサンプリングしながら受信する受信部と、
前記受信部にて受信された受信データの通信品質を測定する通信品質測定部と、
前記測定された通信品質に基づいて前記サンプリングクロックのサンプリング周波数を
制御するサンプリング周波数制御部とを備えることを特徴とする無線通信装置。
【請求項６】
前記第１筐体部と前記第２筐体部との位置関係を検出する位置関係検出手段をさらに備
え、
前記サンプリング周波数制御部は、前記位置関係も考慮しながら前記サンプリング周波
数を制御することを特徴とする請求項５記載の無線通信装置。
【請求項７】
前記サンプリング周波数制御部は、前記外部無線通信の状況を考慮しながら前記サンプ
リング周波数を制御することを特徴とする請求項５または６記載の無線通信装置。
【発明の詳細な説明】
【技術分野】
【０００１】
本発明は無線通信装置に関し、特に、無線周波数信号をサンプリングしながら周波数変
換を行う方法に適用して好適なものである。
【背景技術】
【０００２】
無線周波数信号をサンプリングすると、エイリアシングにより無線周波数信号が折り返
されるため、周波数変換が可能となることが知られている。ここで、サンプリング周波数
をｆｓとすると、スペクトルはｆｓ／２ごとに折り返される。この原理を用いれば、サン
プリング周波数を１／Ｎに削減することができ、クロック発生に要する回路要求を緩和し
つつ、消費電力を減らすことができる。
【０００３】
また、例えば、特許文献１には、ＲＦアナログ信号についてＡ／Ｄ変換器のサンプリン
グ速度を適切に選択することによって、ナイキスト帯域幅の非重畳中でアナログ信号の異
なる周波数帯域の複製を生成する方法が開示されている。
【特許文献１】特開２００２−２６７５８号公報
【発明の開示】
【発明が解決しようとする課題】
【０００４】
しかしながら、サンプリング周波数を単に低くすると、所望の帯域外のノイズも折り返
され、Ｓ／Ｎ比が悪化するという問題があった。
また、特許文献１に開示された方法では、急峻な特性のフィルタを用いて必要帯域のみ
を選択する対策がとられているため、外付け部品によるコスト増を招くという問題があっ
た。
【０００５】
一方、エイリアシングノイズを減らすために、サンプリング周波数を高くすると、消費
電力の増大を招くという問題があった。
そこで、本発明の目的は、Ｓ／Ｎ比の劣化を抑制しつつ、無線周波数信号のサンプリン
グ周波数を低減することが可能な無線通信装置を提供することである。
【課題を解決するための手段】
【０００６】
上述した課題を解決するために、本発明の一態様に係る無線通信装置によれば、サンプ
リング周波数を変化させたサンプリングクロックを生成する周波数シンセサイザと、前記
サンプリングクロックにて無線周波数信号をサンプリングしながら周波数変換を行うサン
プルホールド回路と、前記無線周波数信号に基づいて通信品質を測定する通信品質測定部
と、前記測定された通信品質に基づいて前記サンプリング周波数を制御するサンプリング
周波数制御部とを備えることを特徴とする。
【０００７】
これにより、受信信号の強度や妨害波の影響を考慮しながら、サンプリング周波数を制
御することができる。このため、受信信号の強度が弱い時には、サンプリング周波数を高
くしてエイリアシングノイズを減らすことが可能となるとともに、受信信号の強度が強い
時には、サンプリング周波数を低くして消費電力を減らすことが可能となり、Ｓ／Ｎ比の
劣化を抑制しつつ、消費電力を全体的に低減することが可能となる。
【０００８】
また、本発明の一態様に係る無線通信装置によれば、サンプリング周波数を変化させた
サンプリングクロックを生成する周波数シンセサイザと、前記サンプリングクロックにて
無線周波数信号をサンプリングしながら周波数変換を行うサンプルホールド回路と、前記
周波数変換されたベースバンド信号に基づいて受信信号のビットエラーレートを測定する
ビットエラーレート測定部と、前記測定されたビットエラーレートに基づいて前記サンプ
リング周波数を制御するサンプリング周波数制御部とを備えることを特徴とする。
【０００９】
これにより、受信信号のビットエラーレートを考慮しながら、サンプリング周波数を制
御することができる。このため、受信信号のビットエラーレートが高い時には、サンプリ
ング周波数を高くしてエイリアシングノイズを減らすことが可能となるとともに、受信信
号のビットエラーレートが低い時には、サンプリング周波数を低くして消費電力を減らす
ことが可能となり、Ｓ／Ｎ比の劣化を抑制しつつ、消費電力を全体的に低減することが可
能となる。
【００１０】
また、本発明の一態様に係る無線通信装置によれば、送信側と受信側との位置関係を検
出する位置関係検出手段をさらに備え、前記サンプリング周波数制御部は、前記位置関係
も考慮しながら前記サンプリング周波数を制御することを特徴とする。
これにより、送信側と受信側との位置関係に基づいて通信路の状態を推定することがで
き、伝播損失を考慮しながらサンプリング周波数を制御することができる。このため、信
号の伝播損失が大きい時には、サンプリング周波数を高くしてエイリアシングノイズを減
らすことが可能となるとともに、信号の伝播損失が小さい時には、サンプリング周波数を
低くして消費電力を減らすことが可能となり、Ｓ／Ｎ比の劣化を抑制しつつ、消費電力を
全体的に低減することが可能となる。
【００１１】
また、本発明の一態様に係る無線通信装置によれば、他の通信手段の利用状況を検出す
る利用状況検出手段をさらに備え、前記サンプリング周波数制御部は、前記利用関係も考
慮しながら前記サンプリング周波数を制御することを特徴とする。
これにより、他の通信手段による妨害の影響を考慮しながらサンプリング周波数を制御
することができる。このため、他の通信手段による妨害波が大きい時には、サンプリング
周波数を高くしてエイリアシングノイズを減らすことが可能となるとともに、他の通信手
段による妨害波が小さい時には、サンプリング周波数を低くして消費電力を減らすことが
可能となり、Ｓ／Ｎ比の劣化を抑制しつつ、消費電力を全体的に低減することが可能とな
る。
【００１２】
また、本発明の一態様に係る無線通信装置によれば、第１筐体部と、第２筐体部と、前
記第１筐体部と前記第２筐体部との間の位置関係を変えられるように前記第１筐体部と前
記第２筐体部とを連結する連結部と、前記第１筐体部または前記第２筐体部に搭載され、
外部無線通信を行う外部無線通信部と、前記第２筐体部に搭載された表示部と、前記第１
筐体部に搭載され、送信データを周波数変換しながら無線で送出する送信部と、前記第２
筐体部に搭載され、前記送信部から送信された送信データをサンプリングクロックにてサ
ンプリングしながら受信する受信部と、前記受信部にて受信された受信データの通信品質
を測定する通信品質測定部と、前記測定された通信品質に基づいて前記サンプリングクロ
ックのサンプリング周波数を制御するサンプリング周波数制御部とを備えることを特徴と
する。
【００１３】
これにより、第２筐体部に搭載された表示部の大画面化および大精細度化に対応して、
第１筐体部から第２筐体部に送信される表示データのデータ量が増大した場合においても
、連結部の構成を複雑化させることなく、表示データを高速に表示部に送信することが可
能となるとともに、受信信号の強度や妨害波の影響を考慮しながら、受信時のサンプリン
グ周波数を制御することができる。このため、無線通信端末の携帯性を損なうことなく、
無線通信端末の大画面化および多機能化を図ることが可能となるとともに、Ｓ／Ｎ比の劣
化を抑制しつつ、消費電力を全体的に低減することが可能となる。
【００１４】
また、本発明の一態様に係る無線通信装置によれば、前記第１筐体部と前記第２筐体部
との位置関係を検出する位置関係検出手段をさらに備え、前記サンプリング周波数制御部
は、前記位置関係も考慮しながら前記サンプリング周波数を制御することを特徴とする。
これにより、第１筐体部と第２筐体部との位置関係に基づいて通信路の状態を推定する
ことができ、第１筐体部と第２筐体部との間での伝播損失を考慮しながらサンプリング周
波数を制御することができる。このため、信号の伝播損失が大きい時には、サンプリング
周波数を高くしてエイリアシングノイズを減らすことが可能となるとともに、信号の伝播
損失が小さい時には、サンプリング周波数を低くして消費電力を減らすことが可能となり
、Ｓ／Ｎ比の劣化を抑制しつつ、消費電力を全体的に低減することが可能となる。
【００１５】
また、本発明の一態様に係る無線通信装置によれば、前記サンプリング周波数制御部は
、前記外部無線通信の状況を考慮しながら前記サンプリング周波数を制御することを特徴
とする。
これにより、外部無線通信による妨害の影響を考慮しながら受信時のサンプリング周波
数を制御することができる。このため、外部無線通信による妨害波が大きい時には、サン
プリング周波数を高くしてエイリアシングノイズを減らすことが可能となるとともに、外
部無線通信による妨害波が小さい時には、サンプリング周波数を低くして消費電力を減ら
すことが可能となり、Ｓ／Ｎ比の劣化を抑制しつつ、消費電力を全体的に低減することが
可能となる。
【発明を実施するための最良の形態】
【００１６】
以下、本発明の実施形態に係る無線通信装置およびその製造方法について図面を参照し
ながら説明する。
図１は、本発明の第１実施形態に係る無線通信装置の概略構成を示すブロック図である
。
図１において、無線通信装置には、電波の受信を行うアンテナ１、アンテナ１にて受信
された無線周波数信号から不要な周波数成分を減衰させるバンドパスフィルタ２、アンテ
ナ１にて受信された無線周波数（ＲＦ：Ｒａｄｉｏ  Ｆｒｅｑｕｅｎｃｙ）信号を増幅す
るローノイズアンプ３、無線周波数信号をサンプリングしながら周波数変換を行うサンプ
ルホールド回路４、ダウンコンバートされた受信信号に含まれる不要な高域成分を減衰さ
せるローパスフィルタ５、ローパスフィルタ５から出力された受信信号を増幅する増幅器
６、増幅器６から出力された受信信号をデジタル信号に変換するＡ／Ｄ変換器７、ベース
バンド信号処理を行うベースバンド信号処理部８、ベースバンド信号処理部８に入力され
た受信信号のビットエラーレートを側定するビットエラーレート測定部９、受信信号のビ
ットエラーレートに基づいてサンプリング周波ｆｓを制御するサンプリング周波数制御部
１０およびサンプリング周波数ｆｓのサンプリングクロックを生成する周波数シンセサイ
ザ１１が設けられている。
【００１７】
そして、アンテナ１を介して受信された受信信号は、バンドパスフィルタ２にて不要な
周波数成分が減衰された後、ローノイズアンプ３に送られる。そして、受信信号がローノ
イズアンプ３にて増幅され、サンプルホールド回路４に送られる。また、サンプルホール
ド回路４には、周波数シンセサイザ１１にて生成されたサンプリングクロックが出力され
る。
【００１８】
そして、サンプルホールド回路４は、周波数シンセサイザ１１から送られたサンプリン
グクロックにてローノイズアンプ３から送られた受信信号をサンプリングし、受信信号の
ダウンコンバートを行う。そして、サンプルホールド回路４にてダウンコンバートされた
受信信号は、ローパスフィルタ６にて不要な周波数成分が減衰された後、増幅器６を介し
てベースバンド信号処理部８に送られる。そして、受信信号がベースバンド信号処理部８
に送られると、ビットエラーレート測定部９にて受信信号のビットエラーレートが測定さ
れ、その測定結果がサンプリング周波数制御部１０に送られる。そして、サンプリング周
波数制御部１０は、受信信号のビットエラーレートの測定結果に基づいて周波数制御信号
ＦＳ１を生成し、周波数シンセサイザ１１のサンプリング周波数を制御する。そして、周
波数シンセサイザ１１は、周波数制御信号ＦＳ１に基づいてサンプリングクロックの周波
数を変化させながらサンプルホールド回路４に出力する。
【００１９】
ここで、デジタル無線通信には誤り訂正符号が付与されているため、ＲＦ（Ｒａｄｉｏ
Ｆｒｅｑｕｅｎｃｙ）回路は誤り訂正符号の要求するビットエラーレートを満たすだけ
の信号品質を確保すればよい。このため、無線周波数信号の入力信号強度が大きい場合は
、クロック周波数を下げその不要なマージンを削減し、その分低電力で動作をさせること
ができる。すなわち、サンプリング周波数制御部１０は、受信信号のビットエラーレート
が高い時には、サンプリング周波数を高くし、受信信号のビットエラーレートが低い時に
は、サンプリング周波数を低くすることができる。これにより、受信信号のビットエラー
レートが高い時には、エイリアシングノイズを減らすことが可能となるとともに、受信信
号のビットエラーレートが低い時には、消費電力を減らすことが可能となり、Ｓ／Ｎ比の
劣化を抑制しつつ、消費電力を全体的に低減することが可能となる。
【００２０】
具体的には、サンプリング周波数ｆｓ、無線周波数ｆrf、中間周波数ｆifにはｆif＝ｆ
rf±ｋ＊ｆｓの関係がある。そして、ｋ＝１のとき、最もエイリアシングが少なく、高Ｓ
／Ｎ比での受信が可能となる。ｋを増加させるに従って、エイリアシングが増加するため
、Ｓ／Ｎ比は低下するが、サンプリング周波数ｆｓが下がるため、システムの消費電力を
低下させることができる。
【００２１】
なお、ｋの上限は周波数シンセサイザ１１の周波数範囲が十分である場合、ＲＦ帯域幅
により規定される。すなわち、サンプリング周波数ｆｓはＲＦ帯域幅の２倍以下になると
、ＲＦ信号そのものがエイリアシングされ、データを復調することができなくなるため、
サンプリング周波数ｆｓはＲＦ帯域幅の２倍より大きくなるように設定する必要がある。
図２は、無線周波数信号と折り返しノイズとの周波数軸上での位置関係を示す図である
。
【００２２】
図２において、ＲＦ信号Ｓ１をサンプリングすると、エイリアシングによりｋｆｓを対
象としてＲＦ信号Ｓ１が折り返され、折り返しノイズＮ１〜Ｎ４が生成され、ＲＦ信号Ｓ
１に重畳される。そして、ｋを大きくすると、折り返しノイズが増えるため、Ｓ／Ｎ比は
低下するが、サンプリング周波数ｆｓが下がるため、システムの消費電力を低下させるこ
とができる。
【００２３】
図３は、無線周波数信号と折り返しノイズとのレベルの強弱関係を示す図である。
図３（ａ）において、ｋ＝１の場合、ＲＦ信号ＳａはノイズＮａより大きく、通信が可
能な状態であることが予想される。この場合、既知のパターンによりビットエラーレート
の測定を行い、ビットエラーレートが誤り訂正の基準（例えば、ビットエラーレート＜１
０-4）を満たすかどうかを判別する。そして、この条件を満たす場合、例えば、ｋを１だ
け増加させ、ｋ＝ｋ＋１に設定する。
【００２４】
また、図３（ｂ）において、ｋ＝２でＲＦ信号Ｓｂの強度がノイズＮｂよりも小さい場
合、通信を確立することができない。このため、ビットエラーレートの測定によるエラー
もしくはタイムアウト（ビットエラーレートの測定自体ができない状態）となり、ｋ＝１
が確定される。
また、図３（ｃ）において、ｋ＝２でＲＦ信号Ｓｃの強度がノイズＮｃより大きい場合
、ビットエラーレートの測定を再度行い、ビットエラーレートが誤り訂正の基準を満たせ
ば、例えば、ｋをさらに１だけ増加させ、再度ｋ＝ｋ＋１とする。
【００２５】
図４は、図１の無線通信装置のｋの決定方法を示すフローチャートである。
図４において、サンプリング周波数制御部１０は、初期値として、例えば、ｋ＝２に設
定する（ステップＳ１）。なお、ＲＦ周波数ｆrf、ＩＦ（Ｉｎｔｅｒｍｅｄｉａｔｅ  Ｆ
ｒｅｑｕｅｎｃｙ）周波数ｆifおよびＲＦ帯域幅は既定値である。
次に、サンプリング周波数制御部１０は、ｆｓ＝（ｆrf−ｆif）／ｋという関係からサ
ンプリング周波数ｆｓを設定する（ステップＳ２）。
【００２６】
次に、ビットエラーレート測定部９は、ステップＳ２で設定されたサンプリング周波数
ｆｓにてサンプリングされた受信信号からビットエラーレートを測定し（ステップＳ３）
、そのＢＥＲ測定値を基準値と比較する（ステップＳ４）。そして、サンプリング周波数
制御部１０は、ＢＥＲ測定値が基準値以上の場合、ｋから１だけ減算された値（ｋ＝１）
に基づいて、サンプリング周波数ｆｓを設定する（ステップＳ７）。
【００２７】
一方、ＢＥＲ測定値が基準値より小さい場合、サンプリング周波数ｆｓとＲＦ帯域幅と
を比較する（ステップＳ５）。そして、サンプリング周波数ｆｓがＲＦ帯域幅の２倍以下
の場合、処理を終了する。一方、サンプリング周波数ｆｓがＲＦ帯域幅の２倍より大きい
場合、ｋを１だけ増加させてから（ステップＳ６）、ステップＳ２に戻る。
これにより、ｋを１づつ増減させることが可能となり、ｋを精度よく設定することがで
きる。
【００２８】
図５は、図１の無線通信装置のｋの決定方法のその他の例を示すフローチャートである
。
図５において、サンプリング周波数制御部１０は、初期値として、例えば、ｋ＝２に設
定する（ステップＳ１１）。なお、ＲＦ周波数ｆrf、ＩＦ周波数ｆifおよびＲＦ帯域幅は
既定値である。
【００２９】
次に、サンプリング周波数制御部１０は、ｆｓ＝（ｆrf−ｆif）／ｋという関係からサ
ンプリング周波数ｆｓを設定する（ステップＳ１２）。
次に、ビットエラーレート測定部９は、ステップＳ２で設定されたサンプリング周波数
ｆｓにてサンプリングされた受信信号からビットエラーレートを測定し（ステップＳ１３
）、そのＢＥＲ測定値を基準値と比較する（ステップＳ１４）。そして、サンプリング周
波数制御部１０は、ＢＥＲ測定値が基準値以上の場合、ｋを２で除算した値（ｋ＝１）に
基づいて、サンプリング周波数ｆｓを設定する（ステップＳ１７）。
【００３０】
一方、ＢＥＲ測定値が基準値より小さい場合、サンプリング周波数ｆｓとＲＦ帯域幅と
を比較する（ステップＳ１５）。そして、サンプリング周波数ｆｓがＲＦ帯域幅の２倍以
下の場合、処理を終了する。一方、サンプリング周波数ｆｓがＲＦ帯域幅の２倍より大き
い場合、ｋを２倍してから（ステップＳ１６）、ステップＳ２に戻る。
これにより、ｋを２倍または１／２づつ増減させることが可能となり、ｋを効率よく設
定することができる。
【００３１】
図６は、本発明の第２実施形態に係る無線通信装置の概略構成を示すブロック図である
。
図６において、電波の受信を行うアンテナ２１、アンテナ２１にて受信された無線周波
数信号から不要な周波数成分を減衰させるバンドパスフィルタ２２、アンテナ２１にて受
信された無線周波数信号を増幅するローノイズアンプ２３、無線周波数信号をサンプリン
グしながら周波数変換を行うサンプルホールド回路２４、ダウンコンバートされた受信信
号に含まれる不要な高域成分を減衰させるローパスフィルタ２５、ローパスフィルタ２５
から出力された受信信号を増幅する増幅器２６、増幅器２６から出力された受信信号をデ
ジタル信号に変換するＡ／Ｄ変換器２７、ベースバンド信号処理を行うベースバンド信号
処理部２８、ベースバンド信号処理部２８に入力された受信信号のビットエラーレートを
側定するビットエラーレート測定部２９、受信信号のビットエラーレート、送信側と受信
側との位置関係の検出信号ＳＡ１および他の通信手段の利用状況の検出信号ＳＡ２に基づ
いてサンプリング周波ｆｓを制御する周波数制御信号生成部３０およびサンプリング周波
数ｆｓのサンプリングクロックを生成する周波数シンセサイザ３１が設けられている。
【００３２】
そして、周波数制御信号生成部３０に検出信号ＳＡ１を入力することにより、送信側と
受信側との位置関係に基づいて通信路の状態を推定することができ、受信信号のビットエ
ラーレートに加えて送信側と受信側との位置関係も考慮しながら周波数制御信号ＦＳ２を
生成することができる。このため、通信路の伝播損失が大きい時には、サンプリング周波
数ｆｓを高くしてエイリアシングノイズを減らすことが可能となるとともに、通信路の伝
播損失が小さい時には、サンプリング周波数ｆｓを低くして消費電力を減らすことが可能
となり、Ｓ／Ｎ比の劣化を抑制しつつ、消費電力を全体的に低減することが可能となる。
【００３３】
また、周波数制御信号生成部３０に検出信号ＳＡ２を入力することにより、受信信号の
ビットエラーレートに加えて他の通信手段による妨害の影響を考慮しながら周波数制御信
号ＦＳ２を生成することができる。このため、このため、他の通信手段による妨害波が大
きい時には、サンプリング周波数ｆｓを高くしてエイリアシングノイズを減らすことが可
能となるとともに、他の通信手段による妨害波が小さい時には、サンプリング周波数ｆｓ
を低くして消費電力を減らすことが可能となり、Ｓ／Ｎ比の劣化を抑制しつつ、消費電力
を全体的に低減することが可能となる。なお、他の通信手段としては、例えば、携帯電話
ではセルラー通信に加え，Ｂｌｕｅｔｏｏｔｈ、ＷＬＡＮ等々、複数規格の通信手段を挙
げることができる。
【００３４】
また、電子メール利用時のように本体部と液晶パネル部間での通信を利用している時間
（文章作成時間）と比べ、外部との通信時間（送信時間）が著しく短いアプリケーション
では、妨害波の存在を的確に検出して、電力の利用を有効化することができる。また、図
６の構成では図１の構成より検出精度が向上できるため、最適周波数のサンプリングクロ
ックを選択するまでの時間を短縮できる。さらに、同一筐体内通信では、通信の同期クロ
ックおよび制御信号を有線にて共有する手段も可能となる．この場合、ｋの値を増加させ
たときに通信が確立できなくなった状態の判定を容易化することができる。
【００３５】
図７は、本発明の無線通信制御方法が適用されるクラムシェル型携帯電話を開いたとき
の状態を示す斜視図、図８は、本発明の無線通信制御方法が適用されるクラムシェル型携
帯電話を閉じたときの状態を示す斜視図である。
図７および図８において、第１筐体部１０１の表面には、操作ボタン１０４が配置され
るとともに、第１筐体部１０１の下端にはマイク１０５が設けられ、第１筐体部１０１の
上端には外部無線通信用アンテナ１０６が取り付けられている。また、第２筐体部１０２
の表面には、表示体１０８が設けられるとともに、第２筐体部１０２の上端にはスピーカ
１０９が設けられている。また、第２筐体部１０２の裏面には、表示体１１１および撮像
素子１１２が設けられている。なお、表示体１０８、１１１としては、例えば、液晶表示
パネル、有機ＥＬパネルまたはプラズマディスプレイパネルなどを用いることができる。
また、撮像素子１１２としては、ＣＣＤまたはＣＭＯＳセンサなどを用いることができる
。また、第１筐体部１０１および第２筐体部１０２には、第１筐体部１０１と第２筐体部
１０２との間で内部無線通信を行う内部無線通信用アンテナ１０７、１１０がそれぞれ設
けられている。
【００３６】
そして、第１筐体部１０１および第２筐体部１０２はヒンジ１０３を介して連結され、
第２筐体部１０２をヒンジ１０３を支点として回転させることにより、第２筐体部１０２
を第１筐体部１０１上に折り畳むことができる。そして、第２筐体部１０２を第１筐体部
１０１上に閉じることにより、操作ボタン１０４を第２筐体部１０２にて保護することが
でき、携帯電話を持ち歩く時に操作ボタン１０４が誤って操作されることを防止すること
ができる。また、第２筐体部１０２を第１筐体部１０１から開くことにより、表示体１０
８を見ながら操作ボタン１０４を操作したり、スピーカ１０９およびマイク１０５を使い
ながら通話したり、操作ボタン１０４を操作しながら撮像を行ったりすることができる。
【００３７】
ここで、クラムシェル構造を用いることにより、第２筐体部１０２のほぼ一面全体に表
示体１０８を配置することができ、携帯電話の携帯性を損なうことなく、表示体１０８の
サイズを拡大させることを可能として、視認性を向上させることができる。
また、内部無線通信用アンテナ１０７、１１０を第１筐体部１０１および第２筐体部１
０２にそれぞれ設けることにより、内部無線通信用アンテナ１０７、１１０を用いた内部
無線通信にて第１筐体部１０１と第２筐体部１０２との間のデータ伝送を行うことができ
る。例えば、外部無線通信用アンテナ１０６を介して第１筐体部１０１に取り込まれた画
像データや音声データを、内部無線通信用アンテナ１０７、１１０を用いた内部無線通信
にて第２筐体部１０２に送り、表示体１０８に画像を表示させたり、スピーカ１０９から
音声を出力させたりすることができる。また、撮像素子１１２にて撮像された撮像データ
を、内部無線通信用アンテナ１０７、１１０を用いた内部無線通信にて第２筐体部１０２
から第１筐体部１０１に送り、外部無線通信用アンテナ１０６を介して外部に送出させる
ことができる。
【００３８】
これにより、第１筐体部１０１と第２筐体部１０２との間のデータ伝送を有線で行う必
要がなくなり、多ピン化されたフレキシブル配線基板をヒンジ１０３に通す必要がなくな
る。このため、ヒンジ１０３の構造の複雑化を抑制することが可能となるとともに、実装
工程の煩雑化を防止することが可能となり、コストアップを抑制しつつ、携帯電話の小型
薄型化および高信頼性化を図ることが可能となるとともに、携帯電話の携帯性を損なうこ
となく、携帯電話の大画面化および多機能化を図ることができる。
【００３９】
ここで、第１筐体部１０１または第２筐体部１０２には、例えば、内部無線通信用アン
テナ１０７、１１０を介してやり取りさせるデータを受信するために図６の無線通信装置
を搭載することができる。そして、内部無線通信用アンテナ１０７、１１０を介して送信
された送信データをサンプリングクロックにてサンプリングしながら周波数変換し、ベー
スバンド信号を得ることができる。
【００４０】
また、第１筐体部１０１と第２筐体部１０２との間の角度や内部無線通信用アンテナ１
０７、１１との間の距離を検出し、第１筐体部１０１と第２筐体部１０２との間の角度や
内部無線通信用アンテナ１０７、１１との間の距離基づいて通信路の状態を推定すること
ができる。そして、通信路の伝播損失が大きい時には、サンプリング周波数ｆｓを高くす
るとともに、通信路の伝播損失が小さい時には、サンプリング周波数ｆｓを低くすること
ができる。
【００４１】
さらに、外部無線通信用アンテナ１０６を介して行われる外部無線通の状況を監視し、
外部無線通が行われている時には、サンプリング周波数ｆｓを高くするとともに、外部無
線通が行われていない時には、サンプリング周波数ｆｓを低くすることができる。
なお、上述した実施形態では携帯電話を例にとって説明したが、ビデオカメラ、ＰＤＡ
（Ｐｅｒｓｏｎａｌ  Ｄｉｇｉｔａｌ  Ａｓｓｉｓｔａｎｃｅ）、ノート型パーソナルコ
ンピュータなどに適用することもできる。
【００４２】
また、上述した実施形態では、第１筐体部１０１と第２筐体部１０２との間で無線送信
を行う方法を例にとって説明したが、同一半導体チップ内、同一プリント基板上または同
一筐体内または同一モジュール内または同一パッケージ内または一体的に使用される機器
内での無線送信に適用するようにしてもよい。
【図面の簡単な説明】
【００４３】
【図１】本発明の第１実施形態に係る無線通信装置の概略構成を示すブロック図。
【図２】無線周波数信号と折り返しノイズとの位置関係を示す図。
【図３】無線周波数信号と折り返しノイズとの強弱関係を示す図。
【図４】図１の無線通信装置のｋの決定方法を示すフローチャート。
【図５】図１の無線通信装置のｋの決定方法の他の例を示すフローチャート。
【図６】本発明の第２実施形態に係る無線通信装置の概略構成を示すブロック図。
【図７】本発明の無線通信制御方法が適用されるクラムシェル型携帯電話を開いたときの状態を示す斜視図。
【図８】本発明の無線通信制御方法が適用されるクラムシェル型携帯電話を閉じたときの状態を示す斜視図。
【符号の説明】
【００４４】
１、２１  アンテナ、２、２２  バンドパスフィルタ、３、２３  ローノイズアンプ、
４、２４  サンプルホールド回路、５、２５  ローパスフィルタ、６、２６  増幅器、７
、２７  Ａ／Ｄ変換器、８、２８  ベースバンド信号処理部、９、２９  ビットエラーレ
ート測定部、１０  サンプリング周波数制御部、１１、３１  周波数シンセサイザ、３０
周波数制御信号生成部、１０１、１２１  第１筐体部、１０２  第２筐体部、１０３  
ヒンジ、１０４  操作ボタン、１０５  マイク、１０６  外部無線通信用アンテナ、１０
７、１１０  内部無線通信用アンテナ、１０８、１１１  表示体、１０９  スピーカ、１
１２  撮像素子
【図１】
2007124444.tif 000003
【図２】
2007124444.tif 000004
【図３】
2007124444.tif 000005
【図４】
2007124444.tif 000006
【図５】
2007124444.tif 000007
【図６】
2007124444.tif 000008
【図７】
2007124444.tif 000009
【図８】
2007124444.tif 000010